(57)【要約】【課題】簡易な構造で、仕上がりが良く、作業効率に優れる左官施工用具を提供する。【解決手段】左官施工用具１は鏝板１１と該鏝板１１の上面に形成した把手部１５とからなる鏝部１０と、前記鏝板１１の底面に積層固着した板状のスポンジ部６０とからなる。前記鏝板１１は、前記把手部１５と接続した第１鏝板１１ａと、該第１鏝板に積層固着した第２鏝板１１ｂとからなり、該第２鏝板１１ｂは、プラスチックからなる。前記鏝部１０は、プラスチックにより一体に形成したものであることが好ましい。前記プラスチックは、強化プラスチックであることが更に好ましい。前記鏝板１１及び該鏝板１１の底面に積層固着した板状のスポンジ部６０が前記把手部１５の長手方向に、下方に向かって凸状に湾曲して形成されている。【選択図】図１
0003174915.tif 000002
【実用新案登録請求の範囲】
【請求項１】
鏝板と該鏝板の上面に形成した把手部とからなる鏝部と、
前記鏝板の底面に積層固着した板状のスポンジ部と、からなることを特徴とする左官施工用具。
【請求項２】
前記鏝板は、前記把手部に接続した第１鏝板と、該第１鏝板に積層固着した第２鏝板とからなり、該第２鏝板は、プラスチックからなる請求項１に記載の左官施工用具。
【請求項３】
前記鏝部は、プラスチックにより一体に形成したものである請求項１に記載の左官施工用具。
【請求項４】
前記プラスチックは、強化プラスチックである請求項２又は３に記載の左官施工用具。
【請求項５】
前記鏝板及び該鏝板の底面に積層固着した板状のスポンジ部が前記把手部の長手方向に、下方に向かって凸状に湾曲して形成されている請求項１乃至４のいずれか１項に記載の左官施工用具。
【請求項６】
前記スポンジ部が長方形板状であって、該スポンジ部の長手方向の載置面に投影した投影長さが２８０〜３２０ｍｍ、該スポンジ部の短手方向の載置面に投影した投影長さが１８０〜２２０ｍｍ、該スポンジ部の底面先端の載置面からの高さが２５〜３５ｍｍ、該スポンジ部の底面後端の載置面からの高さが２０〜２５ｍｍ、及び該スポンジ部の厚さが２５〜３５ｍｍである請求項５に記載の左官施工用具。
【考案の詳細な説明】
【技術分野】
【０００１】
本考案は、左官施工用具に関する。更に詳しくは、洗い出し工事用又はタイル目地拭き取り工事用であって、仕上がりが良く、作業効率に優れる左官施工用具に関する。
【背景技術】
【０００２】
従来、洗い出し工事、タイル目地拭き取り工事の場合、通常、水を含ませたスポンジで、表面のノロを拭き取ることによって仕上げている。しかし、手作業となるため、手が濡れ、仕上がりもムラができるなどの不都合がある。
ここで、壁面仕上げに用いる施工用具として、１つの側辺が直線状に形成され、他の側辺が鋸歯状に形成された軟質材を備えた鏝が提案されている（例えば、特許文献１参照。）。
この施工用具は、その直線状の側辺を一種のヘラとして利用して、小石と小石の間の隙間に適量のセメントを埋め込み、目地埋めセメント層を形成し、その後、鋸歯状の側辺を小石の表面に押し当てて、７０度〜９０度の角度範囲内に保ちつつ多方向に万遍なく掃き動かすことにより、目地埋めセメント層の上層部の余分なセメントをそぎ落として、小石の頭部を露出させるようにする。
【先行技術文献】
【特許文献】
【０００３】
【特許文献１】特開２００３−６４８３９号公報
【考案の概要】
【考案が解決しようとする課題】
【０００４】
しかし、最後の仕上げに際しては、露出した小石の頂部と目地の表面を、スポンジ等で洗って、小石の表面に付着したセメントを拭き落とす必要がある。
本考案は、前記の課題を解決するものであって、洗い出し工事又はタイル目地拭き取り工事に用いられ、簡易な構造で、仕上がりが良く、作業効率に優れる左官施工用具を提供することを目的とする。
【課題を解決するための手段】
【０００５】
前記課題を解決するための本考案は、以下の通りである。
１．請求項１に係る左官施工用具は、鏝板と該鏝板の上面に形成した把手部とからなる鏝部と、前記鏝板の底面に積層固着した板状のスポンジ部とからなることを特徴とする。
２．請求項２に係る左官施工用具は、請求項１に記載の左官施工用具において、前記鏝板は、前記把手部に接続した第１鏝板と、該第１鏝板に積層固着した第２鏝板とからなり、該第２鏝板は、プラスチックからなることを特徴とする。
３．請求項３に記載の左官施工用具は、請求項１に記載の左官施工用具において、前記鏝部は、プラスチックにより一体に形成したものであることを特徴とする。
４．請求項４に記載の左官施工用具は、請求項２又は３に記載の左官施工用具において、前記プラスチックは、強化プラスチックであることを特徴とする。
５．請求項５に記載の左官施工用具は、請求項１乃至４のいずれか１項に記載の左官施工用具において、前記鏝板及び該鏝板の底面に積層固着した板状のスポンジ部が前記把手部の長手方向に、下方に向かって凸状に湾曲して形成されていることを特徴とする。
６．請求項６に記載の左官施工用具は、請求項５に記載の左官施工用具において、前記スポンジ部が長方形板状であって、該スポンジ部の長手方向の載置面に投影した投影長さが２８０〜３２０ｍｍ、該スポンジ部の短手方向の載置面に投影した投影長さが１８０〜２２０ｍｍ、該スポンジ部の底面先端の載置面からの高さが２５〜３５ｍｍ、該スポンジ部の底面後端の載置面からの高さが２０〜２５ｍｍ、及び該スポンジ部の厚さが２５〜３５ｍｍである請求項５に記載の左官施工用具であることを特徴とする。
【考案の効果】
【０００６】
１．請求項１に記載の左官施工用具の考案は、鏝板と該鏝板の上面に形成した把手部とからなる鏝部と、前記鏝板の底面に積層固着した板状のスポンジ部とからなるため、簡易な構造である。そして、鏝板の底面に板状のスポンジ部が固着されているため、施工面に対して均等に拭き取りできるため、ムラのない施工が可能となる。また、スポンジに直接手で触れることなく、鏝の把手部を持って作業できるため、スピーディーに作業ができ、作業効率に優れる。
２．請求項２に記載の左官施工用具の考案は、請求項１の考案の効果に加え、更に、鏝板が、把手部に接続した第１鏝板と、第１鏝板に積層固着した第２鏝板とからなり、第２鏝板は、プラスチックからなるため、通常の左官鏝にプラスチック製の板を固着することによって、簡易に鏝板を製作することができる。
３．請求項３に記載の左官施工用具の考案は、請求項１の考案の効果に加え、更に、鏝部は、プラスチックにより一体に形成したものであるため、鏝部を射出成形等により効率よく製作することができ、製品コストを下げることができる。
４．請求項４に記載の左官施工用具の考案は、請求項２又は３の考案の効果に加え、更に、プラスチックが、強化プラスチックであるため、より強度に優れる。
５．請求項５に記載の左官施工用具の考案は、請求項１乃至４のいずれかの考案の効果に加え、更に、鏝板及び鏝板の底面に積層固着した板状のスポンジ部が把手部の長手方向に、下方に向かって凸状に湾曲して形成されているため、スポンジ部の接触面を施工面に対して、次第に移動することにより長手方向の広範囲に亘って拭き取り作業をすることができる。
６．請求項６に記載の左官施工用具の考案は、請求項５の考案の効果に加え、更に前記スポンジ部が長方形板状であって、該スポンジ部の長手方向の施工面に投影した投影長さが２８０〜３２０ｍｍ、該スポンジ部の短手方向の施工面に投影した投影長さが１８０〜２２０ｍｍ、該スポンジ部の底面先端の載置面からの高さが２５〜３５ｍｍ、該スポンジ部の底面後端の載置面からの高さが２０〜２５ｍｍ、及び該スポンジ部の厚さが２５〜３５ｍｍである場合には、特に使用しやすく作業効率を高めることができる。
【図面の簡単な説明】
【０００７】
【図１】本考案の実施形態１に係る左官施工用具の斜視図である。
【図２】本考案の実施形態１に係る左官施工用具の動作を示す説明図である。
【図３】本考案の実施形態１に係る左官施工用具の（ａ）側面図、（ｂ）Ｘ−Ｘ´断面図、（ｃ）平面図である。
【図４】本考案の実施形態２に係る左官施工用具の斜視図である。
【図５】本考案の実施形態３に係る左官施工用具の斜視図である。
【図６】本考案の実施形態４に係る左官施工用具の斜視図である。
【図７】本考案の実施形態５に係る左官施工用具の斜視図である。
【図８】本考案の実施形態５に係る左官施工用具の（ａ）側面図、（ｂ）Ｙ−Ｙ´断面図、（ｃ）平面図である。
【考案を実施するための形態】
【０００８】
以下、本考案の実施形態を示す図１〜８を参照しながら本考案を詳しく説明する。
尚、本考案は、かかる図に記載された具体例に示すものに限られず、目的、用途に応じて種々変更したものとすることができる。
【０００９】
[実施形態１]
実施形態１に係る左官施工用具１は、図１に示すように、鏝板１１と鏝板１１の上面に形成した把手部１５とからなる鏝部１０と、鏝板１１の底面に積層固着した板状のスポンジ部６０とからなる。鏝板１１は、第１鏝板１１ａと、第１鏝板１１ａに積層固着した第２鏝板１１ｂとからなる。把手部１５は、鏝板１１に接続する背金１５ｃと背金１５ｃに接続して柄１５ａを支持する柄脚１５ｂとからなる。
鏝部１０は、把手部１５と第１鏝板１１ａからなる通常の左官鏝に第２鏝板１１ｂを接着固定して製作することができる。第２鏝板１１ｂの材質は特に限定はないが、軽量化のためにプラスチックであることが好ましく、強度を保持するために強化プラスチックであることが更に好ましい。
鏝板１１及び鏝板１１の底面に積層固着した板状のスポンジが把手部１５の長手方向に、下方に向かって凸状に湾曲して形成されている。
鏝板１１が長手方向に、下方に向かって凸状に湾曲して形成されているため、鏝板１１に接続する背金１５ｃも湾曲して形成されている。
【００１０】
この左官施工用具１を使用して洗い出し作業をする場合について説明する。まず、スポンジ部に水を含ませた後、図２（ａ）に示すようにスポンジ部の底面の後端付近６０ａから施工面を矢印の方向に拭き取るように動かす。そうすると、小石９５を覆っているモルタル９１のうちのノロ（不要な部分）９１ａが除去され、小石の表面９５ａが露出し、残ったモルタル９１の表面９１ｂが平坦な面となって現れてくる。そして、スポンジ部の内部端付近にノロが吸収されてくる。そして、図２（ｂ）に示すように、更に拭き取り作業を進めるには、スポンジ部の中ほど６０ｂへと次第に接触面を移動していき、新たなスポンジ部にノロが吸収されるようにする。更に、図２（ｃ）に示すように、スポンジ部の先端６０ｃまで移動させてスポンジ部全体にノロを含むようになると、スポンジ部を水洗して新たな作業を開始することができる。
このように、左官施工用具１によれば、図２（ａ）〜（ｃ）に示すように、施工面の広範囲に亘って、洗い出し作業を効率的に行うことができる。
【００１１】
左官施工用具１の形状、大きさについては、上述した以外には特に限定はないが、図３に示すように、スポンジ部６０が長方形板状であって、スポンジ部の長手方向の施工面に投影した投影長さＡが２８０〜３２０ｍｍ、短手方向の施工面に投影した投影長さＢが１８０〜２２０ｍｍ、スポンジ部６０の底面先端の高さＣが施工面から２５〜３５ｍｍ、スポンジ部６０の底面後端の高さＤが施工面から１５〜２５ｍｍ、及びスポンジ部６０の厚さＥが２５〜３５ｍｍであることが好ましい。
また、第１鏝板１５ｃの長手方向の施工面に投影した投影長さＧは２２０〜２６０ｍｍ、第２鏝板２１ｂの厚さＦは１〜３ｍｍであることが好ましい。
実際の製品においては、Ａ＝３００ｍｍ、Ｂ＝２００ｍｍ、Ｃ＝３０ｍｍ、Ｄ＝２０ｍｍ、Ｅ＝３０ｍｍ、Ｆ＝２ｍｍとして製作した。
【００１２】
[実施形態２]
実施形態２に係る左官施工用具２は、図４に示すように、鏝板２１と鏝板２１の上面に形成した把手部２５とからなる鏝部２０と、鏝板２１の底面に積層固着した板状のスポンジ部６０とからなる。鏝部２０は、鏝板２１と把手部２５とがプラスチックで一体に形成されており、鏝板２１及び鏝板２１の底面に積層固着した板状のスポンジ６０が把手部２５の長手方向に、下方に向かって凸状に湾曲して形成されている。
左官施工用具２は、鏝部２０が一体に形成されており、その下面にスポンジ部を接着固定することによって製作できるため、製作コストを下げることができる。使用方法、形状等については、左官施工用具１と同様であるため、その説明を省略する。
【００１３】
[実施形態３]
実施形態３に係る左官施工用具３は、図５に示すように、鏝板３１と鏝板３１の上面に形成した把手部３５とからなる鏝部３０と、鏝板３１の底面に積層固着した板状のスポンジ部６０とからなる。鏝部３０は、鏝板３１と把手部３５とがプラスチックで一体に形成されており、鏝板３１及び鏝板３１の底面に積層固着した板状のスポンジ部６０が把手部３５の長手方向に、下方に向かって凸状に湾曲して形成されている。
左官施工用具３は、左官施工用具２とは、把手部のみが異なるだけであり、左官施工用具２と同様、一体に形成された鏝部３０の下面にスポンジ部６０を接着固定することによって製作できるため、製作コストを下げることができる。使用方法、形状等については、左官施工用具１と同様であるため、その説明を省略する。
【００１４】
[実施形態４]
実施形態４に係る左官施工用具４は、図６に示すように、鏝板４１と鏝板４１の上面に形成した把手部４５とからなる鏝部４０と、鏝板４１の底面に積層固着した板状のスポンジ部７０とからなる。
鏝部４０としては、通常の左官鏝を用いることができる。その構成は、図１に示すように、鏝板４１と鏝板４１の上面に形成した把手部４５とからなる。把手部４５は、鏝板４１に接続する背金４５ｃと背金４５ｃに接続して柄４５ａを支持する柄脚４５ｂとからなる。
使用に際しては、スポンジ部７０に水を含ませた後、柄４５ａを持って、スポンジ部７０の底面を施工面に当てて拭き取ることにより行なう。
【００１５】
左官施工用具４は、左官施工用具１と異なり、スポンジ部の底面が平らであるため、洗い出し作業においては、ノロを除去してモルタル面を特に平滑に仕上げるのに適している。また、施工箇所の隅を仕上げるのにも適している。
それゆえ、洗い出し作業に際しては、最初に左官施工用具４を用いて、ノロを除去して、モルタル面を平滑に仕上げた後、左官施工用具１を用いて、小石の表面に残っているノロを拭き取るように使用することもできる。
なお、左官施工用具４は、鏝板４１を把手部４５の長手方向に、下方に向かって凸状に湾曲するように変形し、その底面にスポンジを接着固定すれば、左官施工用具１〜３のように、スポンジ部が下方に向かって凸状に湾曲して形成するようにすることができる。
【００１６】
[実施形態５]
実施形態５に係る左官施工用具５は、図７に示すように、鏝板５１と鏝板５１の上面に形成した把手部５５とからなる鏝部５０と、鏝板５１の底面に積層固着した板状のスポンジ部８０とからなる。
鏝部５０は、把手部５５と第１鏝板５１ａからなる通常の左官鏝に第２鏝板５１ｂを接着固定して製作することができる。その構成は、図１に示すように、鏝板５１と鏝板５１の上面に形成した把手部５５とからなる。把手部５５は、鏝板５１に接続する背金５５ｃと背金５５ｃに接続して柄５５ａを支持する柄脚５５ｂとからなる。
【００１７】
左官施工用具５は、図７に示すように、把手部５５の長手方向に対して直角方向に第２鏝板５１ｂが広く形成されている。
こうすることで、施工面の広範囲に亘って、効率的に拭き取りを行うことができる。
【００１８】
左官施工用具５の形状、大きさについては、上述した以外には特に限定はないが、図８に示すように、スポンジ部６０が長方形板状であって、スポンジ部の長手方向の施工面に投影した投影長さＨが２８０〜３２０ｍｍ、短手方向の施工面に投影した投影長さＩが１８０〜２２０ｍｍ、スポンジ部８０の厚さＪが２５〜３５ｍｍであることが好ましい。
また、第２鏝板５１ｂの厚さＫは１〜３ｍｍであることが好ましい。
実際の製品においては、Ｈ＝３００ｍｍ、Ｉ＝２００ｍｍ、Ｊ＝３０ｍｍ、Ｋ＝２ｍｍとして製作した。
【００１９】
なお、左官施工用具５の鏝板５１及び鏝板５１の底面に積層固着した板状のスポンジ部８０が把手部５５の長手方向に、下方に向かって凸状に湾曲して形成するようにすることができる。こうすることで、左官施工用具２と同様に、図２（ａ）〜（ｃ）に示すように、施工面の広範囲に亘って、洗い出し作業を効率的に行うことができる。
【符号の説明】
【００２０】
１１、２１、３１、４１、５１・・・鏝板
１５、２５、３５、４５、５５・・・把手部
１０、３０、３０、４０、５０・・・鏝部
６０、７０、８０・・・・・・・・・スポンジ部
１１ａ、５１ａ・・・・・・・・・・第１鏝板
１１ｂ、５１ｂ・・・・・・・・・・第２鏝板
１、２、３、４、５・・・・・・・・左官施工用具。
【図１】
0003174915.tif 000003
【図２】
0003174915.tif 000004
【図３】
0003174915.tif 000005
【図４】
0003174915.tif 000006
【図５】
0003174915.tif 000007
【図６】
0003174915.tif 000008
【図７】
0003174915.tif 000009
【図８】
0003174915.tif 000010